【手続補正書】
【提出日】平成29年4月5日(2017.4.5)
【手続補正１】
【補正対象書類名】特許請求の範囲
【補正対象項目名】全文
【補正方法】変更
【補正の内容】
【特許請求の範囲】
【請求項１】
光源と、
前記光源から出射された光が照射されることにより被検体から発生する光音響波を受信して時系列の電気信号に変換する受信手段と、
前記時系列の電気信号を用いて前記被検体内部の特性情報を取得する処理手段と、
を有し、
前記光源は、複数のタイミングで光を出射し、
前記受信手段は、前記複数のタイミングで前記光音響波を受信し、前記複数のタイミングに対応する複数の時系列の電気信号に変換し、
前記処理手段は、
前記複数の時系列の電気信号のそれぞれについて、前記複数のタイミング間の前記被検体内部の変位量に基づいて、前記時系列の電気信号が投影される投影位置座標を決定し、
前記複数の時系列の電気信号を前記投影位置座標へ投影して前記特性情報を取得する
ことを特徴とする被検体情報取得装置。
【請求項２】
前記複数のタイミング間の前記被検体内部の変位量を検出する第１の検出手段をさらに有する
ことを特徴とする請求項１に記載の被検体情報取得装置。
【請求項３】
前記第１の検出手段は、前記被検体に送信されたのち前記被検体内で反射した超音波に基づく超音波信号を用いて前記複数のタイミング間の前記被検体内部の変位量を検出する
ことを特徴とする請求項２に記載の被検体情報取得装置。
【請求項４】
前記第１の検出手段は、前記複数のタイミングのそれぞれにおいて取得された複数の前記超音波信号に基づいて前記複数のタイミング間の前記被検体内部の変位量を検出する
ことを特徴とする請求項３に記載の被検体情報取得装置。
【請求項５】
前記第１の検出手段は、スペックルトラッキング法により、前記複数のタイミング間の前記被検体内部の変位量を検出する
ことを特徴とする請求項４に記載の被検体情報取得装置。
【請求項６】
前記受信手段は、前記被検体に超音波を送信する機能と、前記被検体内で反射した超音波を受信する機能を有する
ことを特徴とする請求項３に記載の被検体情報取得装置。
【請求項７】
前記複数のタイミングのそれぞれにおける前記受信手段と前記被検体との相対位置を検出する第２の検出手段をさらに有し、
前記処理手段は、前記複数のタイミングのそれぞれにおける前記受信手段と前記被検体との相対位置、および前記複数のタイミングのそれぞれにおける前記被検体内部の変位量に基づいて、前記投影位置座標を決定する
ことを特徴とする請求項１ないし６のいずれか１項に記載の被検体情報取得装置。
【請求項８】
前記第２の検出手段は、前記被検体に送信されたのち前記被検体内で反射した超音波に基づく超音波画像にブロックマッチング法を適用して、前記複数のタイミングのそれぞれにおける前記受信手段と前記被検体との相対位置を検出する
ことを特徴とする請求項７に記載の被検体情報取得装置。
【請求項９】
前記受信手段は、磁気センサまたは光学センサを有し、
前記第２の検出手段は、前記磁気センサまたは前記光学センサの出力に基づいて、前記複数のタイミングのそれぞれにおける前記受信手段と前記被検体との相対位置を検出する
ことを特徴とする請求項７に記載の被検体情報取得装置。
【請求項１０】
前記特性情報を用いて前記被検体内部の画像を表示する表示手段をさらに有する
ことを特徴とする請求項１から９のいずれか１項に記載の被検体情報取得装置。
【請求項１１】
前記受信手段は、前記複数のタイミングにおいて前記受信手段と前記被検体との相対位置を変更可能に構成されている
ことを特徴とする請求項７に記載の被検体情報取得装置。
【請求項１２】
前記処理手段は、
前記複数の時系列の電気信号のそれぞれについて、前記投影位置座標と前記受信手段との相対位置に基づいて、前記時系列の電気信号に対する重みを決定し、当該重みを用いて前記時系列の電気信号を重みづけし、当該重みづけられた時系列の電気信号を前記投影位置座標に投影することにより前記特性情報を取得する
ことを特徴とする請求項１から１１のいずれか１項に記載の被検体情報取得装置。
【請求項１３】
複数のタイミングでの被検体への光照射により発生する光音響波を受信することにより得られた、前記複数のタイミングに対応する複数の時系列の電気信号を用いて、前記被検体内部の特性情報を取得する処理装置であって、
前記複数の時系列の電気信号のそれぞれについて、前記複数のタイミング間の前記被検体内部の変位量に基づいて、前記時系列の電気信号が投影される投影位置座標を決定する決定手段と、
前記複数の時系列の電気信号を前記投影位置座標へ投影して前記特性情報を取得する取得手段と、
を有することを特徴とする処理装置。
【請求項１４】
複数のタイミングでの被検体への光照射により発生する光音響波を受信することにより得られた、前記複数のタイミングに対応する複数の時系列の電気信号を用いて、前記被検体内部の特性情報を取得する信号処理方法であって、
前記複数の時系列の電気信号のそれぞれについて、前記複数のタイミング間の前記被検体内部の変位量に基づいて、前記時系列の電気信号が投影される投影位置座標を決定し、
前記複数の時系列の電気信号を前記投影位置座標へ投影して前記特性情報を取得する
ことを特徴とする信号処理方法。
【請求項１５】
請求項１４に記載の信号処理方法を処理装置に実行させるプログラム。
【手続補正２】
【補正対象書類名】明細書
【補正対象項目名】０００８
【補正方法】変更
【補正の内容】
【０００８】
本発明に係る被検体情報取得装置は、
光源と、前記光源から出射された光が照射されることにより被検体から発生する光音響波を受信して時系列の電気信号に変換する受信手段と、前記時系列の電気信号を用いて前記被検体内部の特性情報を取得する処理手段と、を有し、前記光源は、複数のタイミングで光を出射し、前記受信手段は、前記複数のタイミングで前記光音響波を受信し、前記複数のタイミングに対応する複数の時系列の電気信号に変換し、前記処理手段は、前記複数の時系列の電気信号のそれぞれについて、前記複数のタイミング間の前記被検体内部の変位量に基づいて、前記時系列の電気信号が投影される投影位置座標を決定し、前記複数の時系列の電気信号を前記投影位置座標へ投影して前記特性情報を取得することを特徴とする。
また、本発明に係る処理装置は、複数のタイミングでの被検体への光照射により発生する光音響波を受信することにより得られた、前記複数のタイミングに対応する複数の時系列の電気信号を用いて、前記被検体内部の特性情報を取得する処理装置であって、前記複数の時系列の電気信号のそれぞれについて、前記複数のタイミング間の前記被検体内部の変位量に基づいて、前記時系列の電気信号が投影される投影位置座標を決定する決定手段と、前記複数の時系列の電気信号を前記投影位置座標へ投影して前記特性情報を取得する取得手段と、を有することを特徴とする。
また、本発明に係る信号処理方法は、複数のタイミングでの被検体への光照射により発生する光音響波を受信することにより得られた、前記複数のタイミングに対応する複数の時系列の電気信号を用いて、前記被検体内部の特性情報を取得する信号処理方法であって、前記複数の時系列の電気信号のそれぞれについて、前記複数のタイミング間の前記被検体内部の変位量に基づいて、前記時系列の電気信号が投影される投影位置座標を決定し、前記複数の時系列の電気信号を前記投影位置座標へ投影して前記特性情報を取得することを特徴とする。
【手続補正３】
【補正対象書類名】明細書
【補正対象項目名】発明の名称
【補正方法】変更
【補正の内容】
【発明の名称】被検体情報取得装置、処理装置、および信号処理方法